(57)【特許請求の範囲】
【請求項１】
底壁および側壁を備え上方への開口を有する筐体状をしたコンロ本体と、
前記コンロ本体の前記開口を閉塞する天板と、
前記天板に形成されたバーナ挿通口を介して上方に露出するように前記コンロ本体内に収容されるコンロバーナと、を備え、
前記コンロ本体は、外部からのガス供給管が接続される管接続具と、前記管接続具と前記コンロバーナとの間に接続されて、前記ガス供給管から供給される燃料ガスを前記コンロバーナに搬送する接続管と、を備え、
前記底壁には、前記ガス供給管が挿通可能な管挿通開口が形成されるとともに、前記底壁の上下に貫通する貫通部が形成されない非貫通部に形成される止着部の上面に前記管接続具が設けられる中間体が固定されることを特徴とするガスコンロ。
【請求項２】
前記底壁の上面に、内部を囲んで当該内部に煮汁受け止め領域を形成するための膨出堰が形成され、前記膨出堰の上部に前記止着部が形成されることを特徴とする請求項１記載のガスコンロ。
【請求項３】
前記煮汁受け止め領域の一部に、他の部分よりも下方へ凹没する凹没部が形成されることを特徴とする請求項２記載のガスコンロ。
【請求項４】
前記煮汁受け止め領域の一部に上方へ突出する突出部が形成され、この突出部の上部に開口が形成されることを特徴とする請求項２または３記載のガスコンロ。
【請求項５】
前記止着部は、前記底壁と前記中間体とがクリンチかしめによってかしめられることにより形成されることを特徴とする請求項１乃至４のいずれか一項に記載のガスコンロ。
【請求項６】
前記中間体とは別の第２中間体を備え、この第２中間体が、前記非貫通部に形成される止着部によって、前記底壁に固定されることを特徴とする請求項１乃至５のいずれか一項に記載のガスコンロ。
【発明の詳細な説明】
【技術分野】
【０００１】
本発明は、ガスコンロに関するものである。
【背景技術】
【０００２】
従来のガスコンロは、底壁および側壁を備え上方への開口を有する筐体状をしたコンロ本体と、コンロ本体の開口を閉塞する天板と、天板に形成されたバーナ挿通口を介して上方に露出するようにコンロ本体内に収容されるコンロバーナと、を備えている。また、底壁には、外部からのガス供給管が接続される管接続具が固定されている（例えば特許文献１参照）。
【０００３】
従来は、管接続具を介してビスが底壁に打ち込まれることにより、管接続具が底壁に固定されていた。
【先行技術文献】
【特許文献】
【０００４】
【特許文献１】特開２０１０−２０８４２１号公報
【発明の概要】
【発明が解決しようとする課題】
【０００５】
しかしながら、ビスが底壁に打ち込まれると、底壁に上下に貫通する貫通孔が形成されてしまい、コンロ本体内に浸入した煮汁等が底壁の貫通孔を介して下方に流出する惧れがあった。また、管接続具にガス供給管が接続される際に、管接続具および管接続具を固定している底壁に大きな力が掛かる。このため、底壁に変形や破壊が発生する惧れがあり、作業者は、このような変形や破壊が発生しないように、管接続具から底壁に力が掛からないようにしながら作業しなければならない、という問題があった。
【０００６】
本発明は上記従来の問題点に鑑みて発明したものであって、その目的とするところは、管接続具にガス供給管が接続される際に底壁が変形したり破壊したりするのが抑制されかつ、煮汁等が底壁を介して下方に流出するのが抑制されるガスコンロを提供することを課題とするものである。
【課題を解決するための手段】
【０００７】
請求項１に係るガスコンロは、底壁および側壁を備え上方への開口を有する筐体状をしたコンロ本体と、前記コンロ本体の前記開口を閉塞する天板と、前記天板に形成されたバーナ挿通口を介して上方に露出するように前記コンロ本体内に収容されるコンロバーナと、を備え、前記コンロ本体は、外部からのガス供給管が接続される管接続具と、前記管接続具と前記コンロバーナとの間に接続されて、前記ガス供給管から供給される燃料ガスを前記コンロバーナに搬送する接続管と、を備え、前記底壁には、前記ガス供給管が挿通可能な管挿通開口が形成されるとともに、前記底壁の上下に貫通する貫通部が形成されない非貫通部に形成される止着部の上面に前記管接続具が設けられる中間体が固定されることを特徴とする。
【０００８】
請求項２に係るガスコンロは、請求項１に係るガスコンロにおいて、前記底壁の上面に、内部を囲んで当該内部に煮汁受け止め領域を形成するための膨出堰が形成され、前記膨出堰の上部に前記止着部が形成されることを特徴とする。
【０００９】
請求項３に係るガスコンロは、請求項２に係るガスコンロにおいて、前記煮汁受け止め領域の一部に、他の部分よりも下方へ凹没する凹没部が形成されることを特徴とする。
【００１０】
請求項４に係るガスコンロは、請求項２または３に係るガスコンロにおいて、前記煮汁受け止め領域の一部に上方へ突出する突出部が形成され、この突出部の上部に開口が形成されることを特徴とする。
【００１１】
請求項５に係るガスコンロは、請求項１乃至４のいずれか一項に係るガスコンロにおいて、前記止着部が、前記底壁と前記中間体とがクリンチかしめによってかしめられることにより形成されることを特徴とする。
【００１２】
請求項６に係るガスコンロは、請求項１乃至５のいずれか一項に係るガスコンロにおいて、前記中間体とは別の第２中間体を備え、この第２中間体が、前記非貫通部に形成される止着部によって、前記底壁に固定されることを特徴とする。
【発明の効果】
【００１３】
請求項１に係るガスコンロにあっては、底壁が中間体によって補強されることになり、作業者が管接続具にガス供給管を接続する際に、管接続具から底壁に力が掛からないようにしなくても、底壁が変形したり破壊したりするのが抑制される。また、非貫通部に形成される止着部により中間体が固定されるため、底壁上に溜まった煮汁等が底壁の下側に挿通されず、煮汁等が底壁を介して下方に流出するのが抑制される。
【００１４】
請求項２に係るガスコンロにあっては、管接続具を固定する固着具が中間体の下側に突出する場合でも、固着具と底壁との干渉を避けることができる。
【００１５】
請求項３に係るガスコンロにあっては、より多くの煮汁等が底壁上に溜められるものである。
【００１６】
請求項４に係るガスコンロにあっては、孔や開口等がどうしても必要となった場合に、煮汁受け止め領域に溜まった煮汁等が流出し難くしつつ、開口が得られる。
【００１７】
請求項５に係るガスコンロにあっては、底壁および中間体に電流を発生させることなく止着部が容易に形成可能となり、また、滓の発生も防止可能である。
【００１８】
請求項６に係るガスコンロにあっては、管接続具とは別の部材が底壁に強固に固定可能となる。
【図面の簡単な説明】
【００１９】
【図１】本発明の一実施形態のガスコンロの全体斜視図である。
【図２】同上のガスコンロの燃料ガスの流路構成を示す説明図である。
【図３】同上のガスコンロのコンロ本体および中間体の斜視図である。
【図４】同上のガスコンロの中間体を取り付けた部分の平面図である。
【図５】同上のガスコンロの中間体および管接続具を取り付けた部分の断面図である。
【図６】同上のガスコンロの止着部の断面図である。
【図７】同上のガスコンロの止着部と固着具との関係を説明する平面図である。
【図８】同上のガスコンロのコンロ本体、中間体および管接続具の斜視図である。
【発明を実施するための形態】
【００２０】
以下、本発明を添付図面に示す実施形態に基いて説明する。本実施形態においては、ガスコンロとして一般的に広く利用されているグリル付きコンロについて説明するが、グリルを備えていないガスコンロであってもよい。また、キッチンカウンターにビルトインされるもの、されないもののいずれであってもよい。
【００２１】
ガスコンロ１は、図１に示すように、上方に開口する箱状をした筐体からなるコンロ本体２と（図３参照）、コンロ本体２の上方への開口を閉塞しガスコンロ１の天面部となるガラス製の天板１０と、で外殻が構成される。コンロ本体２については後述する。
【００２２】
天板１０にはコンロバーナ３および五徳１１を備えた加熱部が複数設けてある。コンロバーナ３は、天板１０に形成されたバーナ挿通口を介して天板１０上に露出するものである。五徳１１は、天板１０上に載置され、調理容器の底部が載置される。図１に示す実施形態では、手前の左側の高火力コンロバーナ３ａ、中央の奥の小火力コンロバーナ３ｂ、手前の右側の高火力コンロバーナ３ｃをそれぞれ備えた計三個の加熱部が設けてある。
【００２３】
コンロバーナ３は、図１、図２に示すように、バーナ本体３１内に形成される略円環状をした混合室３１ａの上にバーナキャップ３２を着脱自在に載置して主体が構成されている。バーナ本体３１は、本実施形態では、外筒と内筒とその間の底部とで囲まれる平面視略円環状をした空間を有し、この空間が混合室３１ａとなる。バーナ本体３１は、混合管３１ｂを一体的に有するものである。混合管３１ｂの先端（上流端）には、流入開口が形成され、この流入開口に一次空気が挿通可能な空気供給用間隙３１ｃをあけて後述するガスノズル４３が挿入される。
【００２４】
バーナキャップ３２は、下面に放射状に複数の炎孔用溝を凹設してあり、バーナキャップ３２をバーナ本体３１の上端のバーナキャップ載置部上に載置することにより、バーナ本体３１の上端面と炎孔用溝とで囲まれる、天板１０上に位置して平面視円環状をした炎孔３３が形成されるようになっている。
【００２５】
ガスコンロ１内にはグリルバーナを備えたグリル庫が設けてあり、グリル庫の前開口は、ガスコンロ１の前面に設けたグリル扉１６によって開閉自在に閉塞される。
【００２６】
ガスコンロ１の前面部を構成する前面パネル１７には、各加熱部を操作するための操作部１８が設けてある。便宜上、前面パネル１７が設けられている方を前方とし、左右はそれぞれ前方より後方を見た時の左右とする。
【００２７】
各操作部１８は、対応するコンロバーナ３の点火及び消火の切り替えや火力調節を指令するものであり、これを受けて制御部が各コンロバーナ３の点消火の切り替えや火力調節を行うと共に、コンロバーナ３毎に、調理タイマーモード、湯沸しモード、炊飯モード等の自動調理モードを設定できるようになっている。
【００２８】
制御部は、マイクロコンピュータからなるもので、図２に示すように、各バーナ（コンロバーナ３、グリルバーナ）に設けてある燃焼検出手段としての熱電対１３の起電力が入力され、制御部は入力された起電力が所定値（例えば３．５ｍＶ）以上になったときに、燃焼を認識する。
【００２９】
図２に示すように、都市ガス等の燃料ガスを供給するガス供給管４から、各コンロバーナ３及びグリルバーナに燃料を供給するためのガス導管４０が分岐されている。
【００３０】
各ガス導管４０には、通電により開弁が保持され、通電が止まると閉弁する元電磁弁４１が設けられると共に、通過する燃料の量を制御する流量制御弁４２と、前記流量制御弁４２を駆動する駆動手段が設けられる。駆動手段としては、開度位置の微調整が可能なステッピングモータが好適に用いられるが、特に限定されない。また各ガス導管４０には、先端にシール材を介してガスノズル４３が螺着等により設けられる。
【００３１】
操作部１８を操作して制御部に点火の指令を送ると、指令を受けた制御部は、ガス導管４０の元電磁弁４１を開き、且つ任意のコンロバーナ３又はグリルバーナに対応する流量制御弁４２を所定開度で開くと共に点火プラグ１４をスパークさせ、コンロバーナ３又はグリルバーナを点火する。これにより、コンロバーナ３の炎により加熱部上に載置した被加熱物を加熱したり、グリルバーナの炎によりグリル庫内の肉や魚を焼くことができる。
【００３２】
バーナ本体３１と天板１０の前記バーナ挿通口の縁との間に円環状のバーナリング１２（図１参照）が介装してあり、天板１０から煮汁等が下に落ちるのを抑制する。コンロバーナ３は、バーナ本体３１の中央のコンロバーナ内貫通孔３０（すなわち内筒の内部）に、加熱部に載置される被加熱物としての調理容器の底部に当接して温度を検知する温度センサ１５を具備している。
【００３３】
コンロ本体２は、図３に示すように、上方に開口する箱状をした筐体からなるもので、底壁５と、底壁５の辺縁部から立設される側壁２１とを備えている。本実施形態では、底壁５は、厚み０．６ｍｍのＳＵＳやその他の金属板からなるものである。
【００３４】
底壁５には、ガス供給管４が接続される管接続具（ガス取入口用継ぎ手７）（図５参照）が設けられるのであるが、ガス取入口用継ぎ手７は、底壁５に直接固定されるのではなく、中間体６を介して底壁５に固定される。
【００３５】
ガス供給管４は、コンロ本体２の下側より、コンロ本体２に接続可能となっている。これにより、ガスコンロ１がキッチンカウンターにビルトインされる場合でも、ガス供給管４が接続し易くなる。
【００３６】
コンロ本体２の底壁５には、図３に示すように、一部に、ガス供給管４が挿通可能な管挿通開口５０が形成されている。本実施形態では、底壁５は、管挿通開口５０が形成される部分を除いて、底壁５の上下に貫通する貫通部（開口や固着孔等の孔）が形成されず、煮汁等が底壁５の上下に挿通不可となる非貫通部５１となっている。煮汁等はコンロ本体２内に浸入する惧れがあり、特に本実施形態では、バーナ挿通口のみならずコンロバーナ内貫通孔３０からも煮汁等が浸入する惧れがあり、コンロ本体２内に浸入した煮汁等は、コンロ本体２からさらに下方に流出する場合の流出の前段階として、底壁５上に溜まる。そして、底壁５の管挿通開口５０以外の部分が非貫通部５１となっていることにより、管挿通開口５０にガス供給管４が挿通して隙間が閉塞されていれば、底壁５上に溜まった煮汁等は底壁５の下側に挿通されず、煮汁等が底壁５を介して下方に流出するのが抑制される。
【００３７】
本実施形態では、管挿通開口５０は、平面視において、コンロバーナ内貫通孔３０とずれた位置に形成される。そして、底壁５の上面には、膨出堰５３ａが形成されている。膨出堰５３ａは、膨出堰５３ａに隣接する底壁５の上面よりも上方に膨出しており、平面視において、コンロバーナ内貫通孔３０を囲む（内部に収める）環状をしている。そして、この膨出堰５３ａに囲まれる底壁５の上面が、この膨出堰５３ａに囲まれる部分に落下した煮汁等が他へ移動するのを抑制する煮汁受け止め領域５３となっている。特に、これによって、煮汁受け止め領域５３に溜まった煮汁等が煮汁受け止め領域５３外へと移動するのが抑制されて、煮汁受け止め領域５３外に位置する管挿通開口５０を介してコンロ本体２の下方に流出するのが抑制される。
【００３８】
ガス供給管４は、管挿通開口５０を挿通してコンロ本体２内に導入され、ガス取入口用継ぎ手７に接続される。ガス取入口用継ぎ手７が固定される中間体６は、図４に示すように、底壁５に固定される。本実施形態の中間体６は、厚み１．２ｍｍのＳＵＳやその他の金属板からなるもので、平面視における内部に、上下に貫通する開口６０が形成される。この開口６０は、中間体６が底壁５に固定された時に、管挿通開口５０に連通する。
【００３９】
中間体６には、上下に貫通するネジ孔６１が形成される。本実施形態では、図４に示すように、ネジ孔６１は三つであるが、ネジ孔６１の数は限定されない。そして、ネジ孔６１にネジからなる固着具６２が螺入されて、ガス取入口用継ぎ手７が中間体６に固定される。
【００４０】
ガス取入口用継ぎ手７は、ガス供給管４の先端部に形成される雄ネジが螺入する、雌ネジからなる管用ネジ７０が形成される。また、ガス取入口用継ぎ手７には、中間体６の開口６０の周囲の面に沿うフランジ７１が形成される。そして、ガス取入口用継ぎ手７の管用ネジ７０が中間体６の開口６０に連通した状態で、フランジ７１に形成された固着具挿通孔に固着具６２が挿入されて、ネジ孔６１に固着具６２が螺入して、ガス取入口用継ぎ手７が中間体６に固定される。
【００４１】
ガス取入口用継ぎ手７が固定された中間体６は、図４に示すように、底壁５の管挿通開口５０の周囲の非貫通部５１に形成される止着部５２によって、底壁５に固定される。本実施形態では、止着部５２は三つであるが、止着部５２の数は限定されない。止着部５２は、非貫通部５１としての機能、すなわち、開口や孔が形成されず煮汁等が底壁５の上下に挿通不可となる機能を維持しつつ、中間体６を底壁５に固定するものである。
【００４２】
本実施形態では、止着部５２は、図６に示すように、いわゆるクリンチかしめによって形成されるものである。すなわち、底壁５の上面に中間体６を当接させて、中間体６の上面にダイを当接させ、底壁５の下面に上方に向けてポンチを押し付けて、塑性変形させる。このように、貫通孔が形成されないクリンチかしめによって、底壁５の上側に凸となるように底壁５および中間体６を変形させることにより、止着部５２が形成されている。
【００４３】
止着部５２においては、図６に示すように、中間体６の上方への凹みの入り口の開口径が凹みの奥部の径よりも小さい。そして、底壁５の中間体６の凹み内に入り込んだ部分の最大径が前記開口径よりも大きいため、底壁５は中間体６から抜け出ず、底壁５と中間体６との固定が維持される。また、本実施形態では、底壁５の上側に凸となるように底壁５および中間体６を変形させているため、コンロ本体２の底面（すなわち底壁５の底面）から下方にネジ等の部材が突出することがない。
【００４４】
なお、止着部５２は、クリンチかしめにより形成されるものに限定されず、例えば、底壁５の上面と中間体６とがスポット溶接されて形成されるものでもよく、限定されない。止着部５２がクリンチかしめにより形成されることにより、底壁５および中間体６に電流を発生させることなく止着部５２が容易に形成可能となり、また、滓の発生も防止可能である。
【００４５】
上述したように、本発明のガスコンロにおいては、底壁５が中間体６によって補強されることになり、コンロ本体２の底壁５全体の厚みが増加することがなく、作業者がガス供給管４の雄ネジを回転させてガス取入口用継ぎ手７の雌ネジに螺合させる際の雄ネジの回転トルクに耐え得る、すなわち、変形や破壊をきたすことなく、ネジを締結することが可能となる。また、底壁５の上下に貫通する貫通部が形成されない非貫通部５１に形成される止着部５２により中間体６が固定されるため、底壁５上に溜まった煮汁等が底壁５の下側に挿通されず、煮汁等が底壁５を介して下方に流出するのが抑制される。
【００４６】
また、本実施形態では、作業者がガス供給管４の雄ネジを回転させる際に止着部５２に掛かる力が、中間体６の固着具６２に掛かる力よりも小さくなるようにしている。すなわち、作業者がガス供給管４の雄ネジを回転させる際の回転中心から固着具６２（ネジ孔６１）までの距離Ｌ１、Ｌ２、Ｌ３は、前記回転中心から止着部５２までの距離Ｌ４、Ｌ５、Ｌ６よりも短い。すなわち、距離Ｌ１、Ｌ２、Ｌ３のいずれも、距離Ｌ４、Ｌ５、Ｌ６の全てより小さい。これにより、中間体６よりも薄くて強度の弱い底壁５の止着部５２に掛かる力が、中間体６の固着具６２に掛かる力よりも小さくなり、止着部５２の変形や破壊をきたすことがより一層防止される。
【００４７】
また、本実施形態では、膨出堰５３ａの上部にクリンチかしめが施されて、止着部５２が形成されている。これにより、固着具６２が中間体６の下側に突出する場合でも、固着具６２の位置を膨出堰５３ａの位置からずらずことにより、固着具６２と膨出堰５３ａの干渉を避けることができ、固着具６２と底壁５との干渉を避けることができる。
【００４８】
また、本実施形態では、図８に示すように、煮汁受け止め領域５３の一部に上方へ突出する突出部５５が形成され、この突出部５５の上部に開口５６が形成されている。これにより、孔や開口等がどうしても必要となった場合に、煮汁受け止め領域５３に溜まった煮汁等が流出し難くしつつ、開口５６が得られる。
【００４９】
また、本実施形態では、煮汁受け止め領域５３の一部に、他の部分よりも下方へ凹没する凹没部５４が形成される。これにより、より多くの煮汁等が底壁上に溜められるものである。
【００５０】
また、中間体６とは別の第２中間体を備え、この第２中間体が、非貫通部５１に形成される止着部５２によって、底壁５に固定されるものであってもよい。これにより、ガス取入口用継ぎ手７とは別の部材が底壁５に強固に固定可能となる。
【図１】
0006431391.tif 000002
【図２】
0006431391.tif 000003
【図３】
0006431391.tif 000004
【図４】
0006431391.tif 000005
【図５】
0006431391.tif 000006
【図６】
0006431391.tif 000007
【図７】
0006431391.tif 000008
【図８】
0006431391.tif 000009